(57)【要約】 【課題】  使用者が快適に長時間座っていることができ、当該椅子が設置された室内を浄化し得る椅子を提供することを目的とする。【解決手段】  脚部４の上端７ａに配設された着座水平部３と、着座水平部３から起立した背もたれ部２とを備えたパチンコホール用椅子１において、背もたれ部２の背もたれ部前面２ａ中央に、所定深さの収納凹部２０を設けた。さらにこの収納凹部２０に、竹炭１４ｂが通気性包袋１４ａに収容されてなる竹炭入り包袋１０を収納した。  【選択図】  図１
0003104224.tif 000002
【実用新案登録請求の範囲】
【請求項１】
脚部の上端に配設された着座水平部と、着座水平部から起立した背もたれ部とを備える椅子において、
前記背もたれ部の前面中央に、所定深さの収納凹部を設け、該収納凹部に、活性炭が通気性包袋に収容されてなる活性炭入り包袋が収納されていることを特徴とする椅子。
【請求項２】
収納凹部に収納された活性炭入り包袋の露出前面と、該露出前面に隣接する背もたれ部の前面とが面一であることを特徴とする請求項１記載の椅子。
【請求項３】
係止孔が形成された係合板を収納凹部の底面に配設し、かつ活性炭入り包袋を前面に固着してなる包袋支持板の背面に係止突片を突成し、該包袋支持板の係止突片を前記係合板の係止孔に嵌入して両板を係合状態とすることにより、活性炭入り包袋を収納凹部に保持してなることを特徴とする請求項１又は請求項２記載の椅子。
【請求項４】
係合板及び包袋支持板に通気孔を夫々形成すると共に、係合状態の係合板と包袋支持板との間に、通気用空隙を形成してなることを特徴とする請求項３記載の椅子。
【請求項５】
活性炭入り包袋が、収納凹部に脱着可能に収納されてなることを特徴とする請求項１乃至請求項４のいずれかに記載の椅子。
【請求項６】
椅子が、パチンコホールに設置されるパチンコホール用椅子である請求項１乃至請求項５のいずれかに記載の椅子。
【考案の詳細な説明】
【技術分野】
【０００１】
本考案は、脚部、着座水平部、及び背もたれ部を備えた椅子に関するものである。
【背景技術】
【０００２】
椅子は、脚部の上端に配設された着座水平部と、着座水平部から起立した背もたれ部とからなる構成が一般的である。特にパチンコホールには、かかる構成からなる遊技者用の椅子であるパチンコホール用椅子が遊技島に沿って複数列設されていることは良く知られている。
【考案の開示】
【考案が解決しようとする課題】
【０００３】
しかしながら、従来のパチンコホール用椅子にあっては、遊技者が長時間座っていると、背中が蒸れたり、臭気が発生したりして不快と感じる場合があり、遊技環境が悪化し、遊技意欲が減退してしまう問題があった。
【０００４】
そこで本考案は、上記問題を解消し、例えば遊技者が快適に長時間座っていることができ、当該椅子が設置された室内を浄化し得る椅子を提供することを目的とする。
【課題を解決するための手段】
【０００５】
本考案は、脚部の上端に配設された着座水平部と、着座水平部から起立した背もたれ部とを備える椅子において、前記背もたれ部の前面中央に、所定深さの収納凹部を設け、該収納凹部に、活性炭が通気性包袋に収容されてなる活性炭入り包袋が収納されていることを特徴とする椅子である。
【０００６】
かかる構成にあって、活性炭の原料としては、木材、竹、石灰、ヤシ殻などがあり、調湿機能や、カビ、臭気、電磁波を吸収する機能を備えているため、使用者の背中が接触する背もたれ部前面に活性炭入り包袋を設けることにより、使用者が長時間座ることによって発生する蒸れ、臭気等を除去することが可能となる。また、当該椅子が設置される室内のカビ等を吸収したり、調湿もするため、室内を浄化し、快適な環境を形成することが可能となる。
【０００７】
また、収納凹部に収納された活性炭入り包袋の露出前面と、該露出前面に隣接する背もたれ部の前面とが面一である構成が提案される。
【０００８】
かかる構成とすることにより、背もたれ部の前面に不要な凹凸が形成されず、座り心地が従来構成の椅子に比して悪化することがない。
【０００９】
また、係止孔が形成された係合板を収納凹部の底面に配設し、かつ活性炭入り包袋を前面に固着してなる包袋支持板の背面に係止突片を突成し、該包袋支持板の係止突片を前記係合板の係止孔に嵌入して両板を係合状態とすることにより、活性炭入り包袋を収納凹部に保持してなる構成が提案される。
【００１０】
このように、包袋支持板を係合板に係止させて活性炭入り包袋を収納凹部に確実に保持する構成とすることにより、活性炭入り包袋が収納凹部から落下しないと共に、使用者の背中を支持するための反力が活性炭入り包袋部分について確保される。
【００１１】
さらにかかる構成にあって、係合板及び包袋支持板に通気孔を夫々形成すると共に、係合状態の係合板と包袋支持板との間に、通気用空隙を形成してなる構成が提案される。
【００１２】
かかる構成とすることにより、活性炭入り包袋を介して、椅子が設置される室内空間と背もたれ部の内部にある通気用空隙との間の通気性が良好となって、活性炭入り包袋の調湿効果が一層向上することとなる。
【００１３】
また、活性炭入り包袋が、収納凹部に脱着可能に収納されてなる構成も提案され得る。
【００１４】
かかる構成とすることにより、活性炭入り包袋のメンテナンスが容易となって頻繁に交換可能となる。
【００１５】
また、椅子が、パチンコホールに設置されるパチンコホール用椅子である構成としても良い。
【００１６】
かかる構成とすることにより、パチンコホール、すなわち遊技環境が浄化され、遊技者は快適に長時間遊技することができる。
【考案の効果】
【００１７】
本考案の椅子は、背もたれ部の前面中央に収納凹部を設け、該収納凹部に活性炭入り包袋が収納されている構成としたため、活性炭入り包袋の調湿効果や、カビ、臭気、電磁波を吸収する機能により、使用者が長時間座ることによって発生する蒸れ、臭気等を除去し得る優れた効果を奏する。また、当該椅子が設置される室内を浄化することができる効果もある。
【００１８】
また、収納凹部に収納された活性炭入り包袋の露出前面と、該露出前面に隣接する背もたれ部の前面とが面一である構成とした場合は、背もたれ部に不要な凹凸が形成されず、快適な座り心地を提供できる利点がある。
【００１９】
また、活性炭入り包袋が固着された包袋支持板の係止突片を、収納凹部の底面に配設した係合板の係止孔に嵌入して両板を係合状態として、活性炭入り包袋を収納凹部に保持してなる構成とした場合は、活性炭入り包袋が収納凹部に確実に保持され、活性炭入り包袋が収納凹部から落下して見栄えが悪くなることを防止できると共に、使用者の背中を支持するための反力が活性炭入り包袋部分についても確保でき、背もたれ部を堅牢とできる効果がある。
【００２０】
さらに、包袋支持板に通気孔を形成すると共に、係合状態の包袋支持板と係合板との間に、通気用空隙が形成されてなる構成とした場合は、活性炭入り包袋を介して、室内空間と背もたれ部の内部にある通気用空隙との間の通気性が良好となるため、活性炭入り包袋の調湿効果がより一層向上することとなる。
【００２１】
また、活性炭入り包袋が、収納凹部に脱着可能に収納されてなる構成とした場合は、活性炭入り包袋のメンテナンスが容易となって頻繁に交換可能となるため、快適な室内環境を難なく継続して提供できる効果がある。
【００２２】
また、椅子をパチンコホール用椅子とした場合は、パチンコホール、すなわち遊技環境が浄化されて、遊技者は快適に遊技することが可能となり、これに起因して遊技時間が延長し、遊技機の稼働率が向上する優れた効果がある。
【考案を実施するための最良の形態】
【００２３】
<第一実施形態例>
図１は、パチンコホール（図示省略）内に設置されたパチンコホール用椅子１を示すものである。
パチンコホール用椅子１は、最下端にある円形の支持板５と、この支持板５の中心から鉛直上方に設けられた軸部７とからなる脚部４を備えている。そして、前記軸部７の上端７ａには、遊技者が着座するための着座水平部３が配設され、さらにこの着座水平部３から、所定高さの背もたれ部２が起立している。
【００２４】
ここで、本考案は、背もたれ部２の前面中央に、竹炭入り包袋１０が配設されていることを特徴としており、背もたれ部２の背もたれ部前面２ａは、中央に位置する竹炭入り包袋１０の露出前面１０ａと、その周囲に隣接する環状のレザー被覆面２５とで構成されている。そしてさらに、この露出前面１０ａとレザー被覆面２５とが面一となっている。
なお、この竹炭（活性炭）入り包袋１０については、本考案の要部につき、後で詳述する。
【００２５】
一方、背もたれ部２の背もたれ部背面２ｂは、図４に示されるように、硬質のプラスチック材料からなる背面パネル２４が、留めねじＰを用いて装着されることにより構成されている。
【００２６】
次に、本考案の特徴部分である背もたれ部２について説明する。
本考案にあっては、背もたれ部２の前面中央に、所定深さの収納凹部２０を設け、この収納凹部２０に、竹炭入り包袋１０を収納している。
【００２７】
さらに詳述すると、パチンコホール用椅子１の背もたれ部２の内部には、プラスチック材からなる底板３５（図２，４参照）が備えられている。この底板３５の前面３６には、その板面から起立する支持壁２６が矩形状に周成されており、かかる前面３６が、長方形状の内側領域Ｘと口字状の外側領域Ｙとに画成されている。そして、外側領域Ｙに、クッション材２７がレザーカバー２５ａにより被覆されてなるレザー被覆部３７を形成すると共に、内側領域Ｘに、レザー被覆部３７に囲まれ、板面が露出した矩形状の収納凹部２０を形成している（図２参照）。なお、レザーカバー２５ａの端縁は、タッカーＴを支持壁２６に沿って底板３５に打ち付けることにより保持している。また、底板３５の内側領域Ｘには、底板通気孔２２が４つ形成されている。
【００２８】
そして、この収納凹部２０には、前述の竹炭入り包袋１０が後述の竹炭担持体６０として整一に収納される。この竹炭入り包袋１０は、図４に示されるように、通気機能を有する通気性包袋１４ａに竹炭１４ｂが収容されてなるものである。そして、この竹炭入り包袋１０の背面に通気性ウレタン材１５が固着され、さらに、この通気性ウレタン材１５が、収納凹部２０内に収納可能な寸法に切り出されたプラスチック材からなる包袋支持板１２に固着されている（図３参照）。なお、この包袋支持板１２には、支持板通気孔１３が４つ形成されている。また、本実施形態例にあっては、見栄えを良くするため、上記竹炭入り包袋１０と通気性ウレタン材１５とを被覆するメッシュカバー１１が備え、その端縁を保持するために、タッカーＴが包袋支持板１２に打ち付けられている。これにより、竹炭担持体６０が構成される。
【００２９】
また、図３，４に示されるように、包袋支持板１２の包袋支持板背面１２ａには、取出用帯状把持部３０が固着されている。この取出用帯状把持部３０は、収納凹部２０に収納された竹炭入り包袋１０を容易に取り出し可能とするものである。さらに詳述すると、この取出用帯状把持部３０は、一方の端部が折り返されて縫製されてなる孔部３０ａを備えている。そして、他方の端部である取出用帯状把持部３０の基端３１を包袋支持板背面１２ａの外縁近くにタッカーＴで固着している。
【００３０】
かかる構成にあって、取出用帯状把持部３０の孔部３０ａ側の端部が、竹炭入り包袋１０とレザー被覆部３７との隙間を通じて背もたれ部前面２ａ側に露出するように、包袋支持板１２が収納凹部２０に嵌め込められる。
【００３１】
なお、竹炭担持体６０が簡単に収納凹部２０から外れないように、竹炭入り包袋１０の外形寸法は、収納凹部２０の寸法よりわずかに大きくなるように設定され、竹炭担持体６０を収納凹部２０に圧入して、相互を保持するようにしている。
【００３２】
ところで、竹炭入り包袋１０には、調湿機能や、カビ、臭気、電磁波等を吸収する機能を備えている。したがって、このように背もたれ部２に竹炭入り包袋１０を備えた構成とすることにより、遊技者の背中が蒸れることがないし、臭気も除去され得る。これにより、遊技環境が向上して、遊技者は快適に長時間遊技することが可能となり、これに伴い遊技機の稼働率も向上する。
【００３３】
一方、竹炭１４ｂを交換するために、竹炭担持体６０を収納凹部２０から取り外したい場合は、図４に示されるように、ホール店員が、取出用帯状把持部３０の露出する孔部３０ａに、Ｌ字状の針金ｆの折曲先端部を挿入し、手前に引っ張れば良い。このように、孔部３０ａが背もたれ部２の前方へ引っ張られると、取出用帯状把持部３０が固着された包袋支持板１２を引き上げることとなって、包袋支持板１２ごと竹炭入り包袋１０が容易に離脱することとなる。
【００３４】
このように、竹炭入り包袋１０を収納凹部２０に脱着可能に収納した構成とすることにより、メンテナンスが容易となる。
【００３５】
なお、図２，３に示されるように、底板３５と包袋支持板１２とに通気孔１３，２２をそれぞれ設けたため、竹炭入り包袋１０周囲の通気性が良好となって、竹炭の効能が一層発揮される。
【００３６】
<第二実施形態例>
また、竹炭入り包袋１０を、収納凹部２０に保持する構成として、別構成が提案される。なお、第一実施形態例と同様の構成については、同じ符号を付して説明する。
【００３７】
図５，７に示されるように、包袋支持板１２の包袋支持板背面１２ａには、係止突片４２が４箇所突成されている。この係止突片４２は、板面から起立する首部４６と、係止面４５を備えた係止頭部４７とで構成されている。
【００３８】
また、包袋支持板背面１２ａには、包袋支持板１２を収納凹部２０内で位置規定するための位置規定突部４０ａ〜４０ｄが所定位置に配設されている。この位置規定突部４０ａ〜４０ｄは、後述の位置規定孔４１ａ〜４１ｄに挿入可能な大きさ・形状に設計されている。
【００３９】
また、背もたれ部２の通気性を良好とするための支持板通気孔１３が４つ形成されている。なお、上記の竹炭入り包袋１０とこれを保持する包袋支持板１２とにより、竹炭担持体６０が構成される。
【００４０】
一方、図６，７に示されるように、背もたれ部２は、プラスチック材からなり、４つの係合板通気孔２３が形成される係合板２１を備えており、かかる係合板２１が収納凹部２０の底面を構成している。
【００４１】
また、この係合板２１は、前記係止突片４２の各対向位置に係止孔４３がそれぞれ形成されている。さらに、各係止孔４３の孔縁からは、係合板前面２１ａ側に突成する縦断面Ｌ字状の爪部４８が形成されており、その先端が前記係止孔４３の上方にはみ出している。
【００４２】
また、係合板通気孔２３と係止孔４３との間には、包袋支持板１２を支持する突状支持部５０が、係合板前面２１ａ側に突成されている。なお、この突状支持部５０は、全部で４箇所に形成されている。
【００４３】
さらに、包袋支持板１２に形成される位置規定突部４０ａ〜４０ｄの各対向位置には、位置規定突部４０ａ〜４０ｄが挿入される位置規定孔４１ａ〜４１ｄが形成されている。
【００４４】
かかる構成にあって、包袋支持板１２と係合板２１とを対向させ、包袋支持板１２の各係止突片４２を、対応する係止孔４３に挿入するようにして、包袋支持板１２を収納凹部２０に圧入すると、係止突片４２の係止頭部４７と爪部４８とが当接して、弾接状態となる。そしてさらに、各係止突片４２を係止孔４３に圧入すると、係止頭部４７と爪部４８との弾接状態が解除されて爪部４８と係止頭部４７の係止面４５とが当接し、係止突片４２と係止孔４３とが係合することとなる。これと共に、包袋支持板背面１２ａが、係合板２１に形成された前記突状支持部５０の先端とが当接して、両板１２，２１が係合状態となる。
【００４５】
なお、かかる係合状態にあっては、包袋支持板１２の位置規定突部４０ａ〜４０ｄも位置規定孔４１ａ〜４１ｄに挿入される。具体的には、位置規定突部４０ａが位置規定孔４１ａに、位置規定突部４０ｂが位置規定孔４１ｂに、位置規定突部４０ｃが位置規定孔４１ｃに、位置規定突部４０ｄが位置規定孔４１ｄに挿入される。かかる構成とすることにより、両板１２，２１が収納凹部２０内で位置ずれすることがなく、竹炭担持体６０が安定保持されることとなる。
【００４６】
ところで、本実施形態例にあっては、係止突片４２の首部４６の全長、及び突状支持部５０の高さ寸法をそれぞれ所定長さに設定して、係合板２１と包袋支持板１２との間に、通気用空隙５２を形成するようにした。かかる構成とすることにより、竹炭入り包袋１０を介して、室内空間と背もたれ部２の内部空間との間の通気性が良好となるため、竹炭入り包袋１０の調湿効果がより一層向上することとなる。
【００４７】
一方、竹炭１４ｂを交換するために、竹炭担持体６０を収納凹部２０から取り外したい場合は、ホール店員が、図７に示されるように、竹炭担持体６０とレザー被覆部３７との隙間に、取り外し用へらＷを圧入し、図８に示されるように、てこの原理を利用して、取り外し用へらＷで包袋支持板１２の端縁を押し上げ、係止突片４２と爪部４８との係合を解除する。かかる構成とすることにより、包袋支持板１２ごと竹炭入り包袋１０が収納凹部２０から容易に離脱することとなる。なお、このとき、包袋支持板１２は、位置規定突部４０ａ〜４０ｄにより収納凹部２０内で位置ずれすることがないため、上記手法により容易かつ確実に係合状態を解除できる。
【００４８】
なお、本考案は、パチンコホール用椅子１に限られるものでなく、オフィス等の一般的な室内で用いられる椅子に適用しても勿論良い。また、上記実施形態例は例示に過ぎず、その他にも本考案の主旨を逸脱しない限り様々な構成が提案され得る。
【図面の簡単な説明】
【００４９】
【図１】第一実施形態例にかかるパチンコホール用椅子１の外観斜視図である。
【図２】第一実施形態例にかかる背もたれ部２の部分拡大斜視図である。
【図３】第一実施形態例にかかる包袋支持板１２の背面図である。
【図４】第一実施形態例にかかる背もたれ部２の縦断側面図である。
【図５】第二実施形態例にかかる包袋支持板１２の背面図である。
【図６】第二実施形態例にかかる係合板２１の正面図である。
【図７】第二実施形態例にかかる背もたれ部２の縦断側面図である。
【図８】第二実施形態例にかかる包袋支持板１２と係合板２１との係合状態が解除される態様を示す説明図である。
【符号の説明】
【００５０】
１  パチンコホール用椅子
２  背もたれ部
２ａ  背もたれ部前面
３  着座水平部
４  脚部
７ａ  上端
１０  竹炭入り包袋
１０ａ  露出前面
１２  包袋支持板
１３  支持板通気孔
１４ａ  通気性包袋
１４ｂ  竹炭
２０  収納凹部
２１  係合板
２２  底板通気孔
２３  係合板通気孔
３０  取出用帯状把持部
４２  係止突片
４３  係止孔
５２  通気用空隙
【図１】
0003104224.tif 000003
【図２】
0003104224.tif 000004
【図３】
0003104224.tif 000005
【図４】
0003104224.tif 000006
【図５】
0003104224.tif 000007
【図６】
0003104224.tif 000008
【図７】
0003104224.tif 000009
【図８】
0003104224.tif 000010